(57)【特許請求の範囲】
【請求項１】
原子力発電所の原子炉建屋内に配置され、上流側から前記原子炉建屋内の空気の湿分を除去して乾燥する空気乾燥装置と、該空気乾燥装置で湿分が除去されて乾燥した空気を下流側に送る排風機と、該排風機から送られてきた空気から放射性物質を除去する第１のフィルタトレインとを備え、前記各機器が配管及び該配管の途中に設置されている弁装置を介して接続されている非常用ガス処理装置であって、
前記第１のフィルタトレインの下流側に、前記配管及び弁装置を介して第２のフィルタトレインが設置され、
前記第１のフィルタトレインは、上流側から順に配置された前記空気中から異物を除去するプレフィルタと、前記空気中から微細な異物を除去する前置高性能粒子フィルタと、前記空気中に含まれる放射性よう素を捕捉するチャコールフィルタと、最終的に前記空気中の微細粒子を除去する後置高性能粒子フィルタと、前記チャコールフィルタの上流及び下流側の空間に配置されたスペースヒータとから構成され、かつ、前記第２のフィルタトレインは、上流側から順に配置された前記空気中から異物を除去するプレフィルタと、微細な異物を除去する前置高性能粒子フィルタと、前記空気中に含まれる放射性よう素を捕捉するチャコールフィルタと、最終的に前記空気中の微細粒子を除去する後置高性能粒子フィルタとから構成され、
前記弁装置は、前記第１のフィルタトレインの入口側に設置されている第１の弁装置と、前記第１のフィルタトレインと前記第２のフィルタトレインの間に設置されている第２及び第３の弁装置と、前記第２のフィルタトレインの出口側に設置されている第４の弁装置と、前記排風機と前記第１の弁装置を接続する配管から分岐され、前記第１のフィルタトレインと前記第２のフィルタトレインを接続する配管との接続部より前側の分岐配管に設置される第５の弁装置と、前記第２の弁装置と前記第３の弁装置を接続する配管の途中と前記第４の弁装置の下流側の配管とを接続し、前記第２のフィルタトレインをバイパスするバイパス配管に設置されている第６の弁装置から成ることを特徴とする非常用ガス処理装置。
【請求項２】
請求項１に記載の非常用ガス処理装置において、
事故発生後に前記非常用ガス処理装置の運転を開始し、前記第１、第２、第３及び第４の弁装置を開にすると共に、前記第５及び第６の弁装置を閉として、短期間の使用時に前記第１のフィルタトレインから流入する空気によって、前記第２のフィルタトレインの乾燥及び暖気を済ませることを特徴とする非常用ガス処理装置。
【請求項３】
請求項１に記載の非常用ガス処理装置において、
前記第１のフィルタトレインの単一故障の際に、前記第１、第２及び第６の弁装置を閉にすると共に、前記第３、第４及び第５の弁装置を開として、前記第２のフィルタトレインのみへ前記原子炉建屋内の空気が流れるようにしたことを特徴とする非常用ガス処理装置。
【請求項４】
請求項１に記載の非常用ガス処理装置において、
前記第２のフィルタトレインの単一故障の際に、前記第３、第４及び第５の弁装置を閉にすると共に、前記第１、第２及び第６の弁装置を開として、前記第１のフィルタトレインのみへ前記原子炉建屋内の空気が流れるようにしたことを特徴とする非常用ガス処理装置。
【請求項５】
原子力発電所の原子炉建屋内に配置され、上流側から前記原子炉建屋内の空気の湿分を除去して乾燥する空気乾燥装置と、該空気乾燥装置で湿分が除去されて乾燥した空気を下流側に送る排風機と、該排風機から送られてきた空気から放射性物質を除去する第１のフィルタトレインとを備え、前記各機器が配管及び該配管の途中に設置されている弁装置を介して接続されて前記原子炉建屋内の空気を処理する非常用ガス処理方法であって、
上流側から順に配置された前記空気中から異物を除去するプレフィルタと、前記空気中から微細な異物を除去する前置高性能粒子フィルタと、前記空気中に含まれる放射性よう素を捕捉するチャコールフィルタと、最終的に前記空気中の微細粒子を除去する後置高性能粒子フィルタと、前記チャコールフィルタの上流及び下流側の空間に配置されたスペースヒータとから構成される第１のフィルタトレインの下流側に、上流側から順に配置された前記空気中から異物を除去するプレフィルタと、微細な異物を除去する前置高性能粒子フィルタと、前記空気中に含まれる放射性よう素を捕捉するチャコールフィルタと、最終的に前記空気中の微細粒子を除去する後置高性能粒子フィルタとから構成されている第２のフィルタトレインが配置され、前記第１のフィルタトレイン及び/又は前記第２のフィルタトレインを前記原子炉建屋内の空気を通すことで処理し、
前記弁装置は、前記第１のフィルタトレインの入口側に設置されている第１の弁装置と、前記第１のフィルタトレインと前記第２のフィルタトレインの間に設置されている第２及び第３の弁装置と、前記第２のフィルタトレインの出口側に設置されている第４の弁装置と、前記排風機と前記第１の弁装置を接続する配管から分岐され、前記第１のフィルタトレインと前記第２のフィルタトレインを接続する配管との接続部より前側の分岐配管に設置される第５の弁装置と、前記第２の弁装置と前記第３の弁装置を接続する配管の途中と前記第４の弁装置の下流側の配管とを接続し、前記第２のフィルタトレインをバイパスするバイパス配管に設置されている第６の弁装置から成り、
かつ、事故発生後に非常用ガス処理装置の運転を開始し、前記第１、第２、第３及び第４の弁装置を開にすると共に、前記第５及び第６の弁装置を閉として、短期間の使用時に前記第１のフィルタトレインから流入する空気によって、前記第２のフィルタトレインの乾燥及び暖気を済ませることを特徴とする非常用ガス処理方法。
【請求項６】
原子力発電所の原子炉建屋内に配置され、上流側から前記原子炉建屋内の空気の湿分を除去して乾燥する空気乾燥装置と、該空気乾燥装置で湿分が除去されて乾燥した空気を下流側に送る排風機と、該排風機から送られてきた空気から放射性物質を除去する第１のフィルタトレインとを備え、前記各機器が配管及び該配管の途中に設置されている弁装置を介して接続されて前記原子炉建屋内の空気を処理する非常用ガス処理方法であって、
上流側から順に配置された前記空気中から異物を除去するプレフィルタと、前記空気中から微細な異物を除去する前置高性能粒子フィルタと、前記空気中に含まれる放射性よう素を捕捉するチャコールフィルタと、最終的に前記空気中の微細粒子を除去する後置高性能粒子フィルタと、前記チャコールフィルタの上流及び下流側の空間に配置されたスペースヒータとから構成される第１のフィルタトレインの下流側に、上流側から順に配置された前記空気中から異物を除去するプレフィルタと、微細な異物を除去する前置高性能粒子フィルタと、前記空気中に含まれる放射性よう素を捕捉するチャコールフィルタと、最終的に前記空気中の微細粒子を除去する後置高性能粒子フィルタとから構成されている第２のフィルタトレインが配置され、前記第１のフィルタトレイン及び/又は前記第２のフィルタトレインを前記原子炉建屋内の空気を通すことで処理し、
前記弁装置は、前記第１のフィルタトレインの入口側に設置されている第１の弁装置と、前記第１のフィルタトレインと前記第２のフィルタトレインの間に設置されている第２及び第３の弁装置と、前記第２のフィルタトレインの出口側に設置されている第４の弁装置と、前記排風機と前記第１の弁装置を接続する配管から分岐され、前記第１のフィルタトレインと前記第２のフィルタトレインを接続する配管との接続部より前側の分岐配管に設置される第５の弁装置と、前記第２の弁装置と前記第３の弁装置を接続する配管の途中と前記第４の弁装置の下流側の配管とを接続し、前記第２のフィルタトレインをバイパスするバイパス配管に設置されている第６の弁装置から成り、
前記第１のフィルタトレインの単一故障の際に、前記第１、第２及び第６の弁装置を閉にすると共に、前記第３、第４及び第５の弁装置を開として、前記第２のフィルタトレインのみへ前記原子炉建屋内の空気が流れるようにしたことを特徴とする非常用ガス処理方法。
【請求項７】
原子力発電所の原子炉建屋内に配置され、上流側から前記原子炉建屋内の空気の湿分を除去して乾燥する空気乾燥装置と、該空気乾燥装置で湿分が除去されて乾燥した空気を下流側に送る排風機と、該排風機から送られてきた空気から放射性物質を除去する第１のフィルタトレインとを備え、前記各機器が配管及び該配管の途中に設置されている弁装置を介して接続されて前記原子炉建屋内の空気を処理する非常用ガス処理方法であって、
上流側から順に配置された前記空気中から異物を除去するプレフィルタと、前記空気中から微細な異物を除去する前置高性能粒子フィルタと、前記空気中に含まれる放射性よう素を捕捉するチャコールフィルタと、最終的に前記空気中の微細粒子を除去する後置高性能粒子フィルタと、前記チャコールフィルタの上流及び下流側の空間に配置されたスペースヒータとから構成される第１のフィルタトレインの下流側に、上流側から順に配置された前記空気中から異物を除去するプレフィルタと、微細な異物を除去する前置高性能粒子フィルタと、前記空気中に含まれる放射性よう素を捕捉するチャコールフィルタと、最終的に前記空気中の微細粒子を除去する後置高性能粒子フィルタとから構成されている第２のフィルタトレインが配置され、前記第１のフィルタトレイン及び/又は前記第２のフィルタトレインを前記原子炉建屋内の空気を通すことで処理し、
前記弁装置は、前記第１のフィルタトレインの入口側に設置されている第１の弁装置と、前記第１のフィルタトレインと前記第２のフィルタトレインの間に設置されている第２及び第３の弁装置と、前記第２のフィルタトレインの出口側に設置されている第４の弁装置と、前記排風機と前記第１の弁装置を接続する配管から分岐され、前記第１のフィルタトレインと前記第２のフィルタトレインを接続する配管との接続部より前側の分岐配管に設置される第５の弁装置と、前記第２の弁装置と前記第３の弁装置を接続する配管の途中と前記第４の弁装置の下流側の配管とを接続し、前記第２のフィルタトレインをバイパスするバイパス配管に設置されている第６の弁装置から成り、
前記第２のフィルタトレインの単一故障の際に、前記第３、第４及び第５の弁装置を閉にすると共に、前記第１、第２及び第６の弁装置を開として、前記第１のフィルタトレインのみへ前記原子炉建屋内の空気が流れるようにしたことを特徴とする非常用ガス処理方法。
【発明の詳細な説明】
【技術分野】
【０００１】
本発明は非常用ガス処理装置及び非常用ガス処理方法に係り、特に、原子力発電所から放出される放射性物質の低減に有効な非常用ガス処理装置及び非常用ガス処理方法に関する。
【背景技術】
【０００２】
原子力発電所には、万一の事故、例えば、原子炉冷却剤喪失事故の際に、原子炉建屋内へ放出される気体から放射性物質を除去し原子炉建屋外へ放出すると共に、原子炉建屋内空気の外への流出を防止するために、原子炉建屋内を負圧に保つ目的で、非常用ガス処理装置が設けられている。
【０００３】
この非常用ガス処理装置は、図１に示すように、原子炉建屋１内に配置され、上流側から原子炉建屋１内の空気の湿分を除去して乾燥する空気乾燥装置２と、空気乾燥装置２で湿分が除去されて乾燥した空気を下流側に送る排風機３と、排風機３から送られてきた空気から放射性物質を除去する第１のフィルタトレイン８とを備え、これら各機器が配管及び配管の途中に設置されている弁装置を介して接続されて構成されている。
【０００４】
上述した第１のフィルタトレイン８は、上流側から順に配置された原子炉建屋１内の空気中から異物を除去するプレフィルタ１０ａと、原子炉建屋１内の空気中から微細な異物を除去する前置高性能粒子フィルタ５ａと、原子炉建屋１内の空気中に含まれる放射性よう素を捕捉するチャコールフィルタ７ａと、最終的に原子炉建屋１内の空気中の微細粒子を除去する後置高性能粒子フィルタ５ｂと、チャコールフィルタ７ａの上流及び下流側の空間に配置されたスペースヒータ６ａ及び６ｂとから構成され、このように構成された第１のフィルタトレイン８を、原子炉建屋１内の空気が通ることにより、空気中に含まれている放射性物質が除去されて排気筒１１から排気される。
【０００５】
このような構成の非常用ガス処理装置が、並列二系列、直列二系列若しくは図１に示すように、静的機器部であるフィルタトレイン８を共用化させて、空気乾燥装置２と排風機３を並列に二系列とするものが存在する。また、直列二系列の合理化の一例として、特許文献１に記載されたものがある。
【先行技術文献】
【特許文献】
【０００６】
【特許文献１】特開昭５９−１４５９９８号公報
【発明の概要】
【発明が解決しようとする課題】
【０００７】
しかしながら、上述した非常用ガス処理装置における従来の単一故障の考え方では、故障を想定する機器は、ポンプやヒータといった動力を必要として作動する動的機器に限られていた。そのため、動力を必要としない静的機器は多重化されず、万一の単一故障を考えたとき、非常用ガス処理装置と同等の機能を有した機器も存在しないのため、原子炉建屋内の空気は外部へ放出されてしまう。
【０００８】
非常用ガス処理装置は、上記したように、静的機器部を共用化して動的機器部のみを多重化したプラントはあるが、静的機器も多重化を適用して安全性の向上を図ることが望ましい。
【０００９】
これを実現しようとする時、配置上の制約から、新規に既存の大きさの機器をさらに一系列分配置する余地がない原子炉については、多重化を図る機器の小型化が必須である。
【００１０】
本発明は上述の点に鑑みなされたもので、その目的とするところは、要求される静的機器の多重化を実現し、単一故障を想定しても性能低下することなく、原子炉建屋外部へ放出する建屋内空気から放射性物質を除去できる非常用ガス処理装置及び非常用ガス処理方法を提供することにある。
【課題を解決するための手段】
【００１１】
本発明の非常用ガス処理装置は、上記目的を達成するために、原子力発電所の原子炉建屋内に配置され、上流側から前記原子炉建屋内の空気の湿分を除去して乾燥する空気乾燥装置と、該空気乾燥装置で湿分が除去されて乾燥した空気を下流側に送る排風機と、該排風機から送られてきた空気から放射性物質を除去する第１のフィルタトレインとを備え、前記各機器が配管及び該配管の途中に設置されている弁装置を介して接続されている非常用ガス処理装置であって、前記第１のフィルタトレインの下流側に、前記配管及び弁装置を介して第２のフィルタトレインが設置され、前記第１のフィルタトレインは、上流側から順に配置された前記空気中から異物を除去するプレフィルタと、前記空気中から微細な異物を除去する前置高性能粒子フィルタと、前記空気中に含まれる放射性よう素を捕捉するチャコールフィルタと、最終的に前記空気中の微細粒子を除去する後置高性能粒子フィルタと、前記チャコールフィルタの上流及び下流側の空間に配置されたスペースヒータとから構成され、かつ、前記第２のフィルタトレインは、上流側から順に配置された前記空気中から異物を除去するプレフィルタと、微細な異物を除去する前置高性能粒子フィルタと、前記空気中に含まれる放射性よう素を捕捉するチャコールフィルタと、最終的に前記空気中の微細粒子を除去する後置高性能粒子フィルタとから構成され、前記弁装置は、前記第１のフィルタトレインの入口側に設置されている第１の弁装置と、前記第１のフィルタトレインと前記第２のフィルタトレインの間に設置されている第２及び第３の弁装置と、前記第２のフィルタトレインの出口側に設置されている第４の弁装置と、前記排風機と前記第１の弁装置を接続する配管から分岐され、前記第１のフィルタトレインと前記第２のフィルタトレインを接続する配管との接続部より前側の分岐配管に設置される第５の弁装置と、前記第２の弁装置と前記第３の弁装置を接続する配管の途中と前記第４の弁装置の下流側の配管とを接続し、前記第２のフィルタトレインをバイパスするバイパス配管に設置されている第６の弁装置から成ることを特徴とする。
【００１２】
また、本発明の非常用ガス処理方法は、上記目的を達成するために、原子力発電所の原子炉建屋内に配置され、上流側から前記原子炉建屋内の空気の湿分を除去して乾燥する空気乾燥装置と、該空気乾燥装置で湿分が除去されて乾燥した空気を下流側に送る排風機と、該排風機から送られてきた空気から放射性物質を除去する第１のフィルタトレインとを備え、前記各機器が配管及び該配管の途中に設置されている弁装置を介して接続されて前記原子炉建屋内の空気を処理する非常用ガス処理方法であって、上流側から順に配置された前記空気中から異物を除去するプレフィルタと、前記空気中から微細な異物を除去する前置高性能粒子フィルタと、前記空気中に含まれる放射性よう素を捕捉するチャコールフィルタと、最終的に前記空気中の微細粒子を除去する後置高性能粒子フィルタと、前記チャコールフィルタの上流及び下流側の空間に配置されたスペースヒータとから構成される第１のフィルタトレインの下流側に、上流側から順に配置された前記空気中から異物を除去するプレフィルタと、微細な異物を除去する前置高性能粒子フィルタと、前記空気中に含まれる放射性よう素を捕捉するチャコールフィルタと、最終的に前記空気中の微細粒子を除去する後置高性能粒子フィルタとから構成されている第２のフィルタトレインが配置され、前記第１のフィルタトレイン及び/又は前記第２のフィルタトレインを前記原子炉建屋内の空気を通すことで処理し、前記弁装置は、前記第１のフィルタトレインの入口側に設置されている第１の弁装置と、前記第１のフィルタトレインと前記第２のフィルタトレインの間に設置されている第２及び第３の弁装置と、前記第２のフィルタトレインの出口側に設置されている第４の弁装置と、前記排風機と前記第１の弁装置を接続する配管から分岐され、前記第１のフィルタトレインと前記第２のフィルタトレインを接続する配管との接続部より前側の分岐配管に設置される第５の弁装置と、前記第２の弁装置と前記第３の弁装置を接続する配管の途中と前記第４の弁装置の下流側の配管とを接続し、前記第２のフィルタトレインをバイパスするバイパス配管に設置されている第６の弁装置から成り、かつ、事故発生後に非常用ガス処理装置の運転を開始し、前記第１、第２、第３及び第４の弁装置を開にすると共に、前記第５及び第６の弁装置を閉として、短期間の使用時に前記第１のフィルタトレインから流入する空気によって、前記第２のフィルタトレインの乾燥及び暖気を済ませることを特徴とする。
【発明の効果】
【００１３】
本発明によれば、要求される静的機器の多重化を実現し、単一故障を想定しても性能低下することなく、原子炉建屋外部へ放出する建屋内空気から放射性物質を除去できる。
【図面の簡単な説明】
【００１４】
【図１】従来の非常用ガス処理装置を示す図である。
【図２】本発明の非常用ガス処理装置の実施例１を示す図である。
【発明を実施するための形態】
【００１５】
以下、図示した実施例に基づいて、本発明の非常用ガス処理装置及び非常用ガス処理方法を説明する。なお、従来と同一構成のものには同符号を使用する。
【実施例１】
【００１６】
図２に、本発明の非常用ガス処理装置を示す。
【００１７】
該図に示す如く、本実施例の非常用ガス処理装置は、原子炉建屋１内に配置され、上流側から原子炉建屋１内の空気の湿分を除去して乾燥する空気乾燥装置２と、空気乾燥装置２で湿分が除去されて乾燥した空気を下流側に送る排風機３と、排風機３から送られてきた空気から放射性物質を除去する第１のフィルタトレイン８と、この第１のフィルタトレイン８の下流側に第２のフィルタトレイン４とを備え、これら各機器が配管及び配管の途中に設置されている弁装置（９ａ、９ｂ、９ｃ、９ｄ、９ｅ、９ｆ）を介して接続されて構成されている。
【００１８】
そして、第１のフィルタトレイン８は、上流側から順に配置された原子炉建屋１内の空気中から異物を除去するプレフィルタ１０ａと、原子炉建屋１内の空気中から微細な異物を除去する前置高性能粒子フィルタ５ａと、原子炉建屋１内の空気中に含まれる放射性よう素を捕捉するチャコールフィルタ７ａと、最終的に原子炉建屋１内の空気中の微細粒子を除去する後置高性能粒子フィルタ５ｂと、チャコールフィルタ７ａの上流及び下流側の空間に配置されたスペースヒータ６ａ及び６ｂとから構成され、また、第２のフィルタトレイン４は、上流側から順に配置された原子炉建屋１内の空気中から異物を除去するプレフィルタ１０ｂと、原子炉建屋１内の空気中から微細な異物を除去する前置高性能粒子フィルタ５ｃと、原子炉建屋１内の空気中に含まれる放射性よう素を捕捉するチャコールフィルタ７ｂと、最終的に原子炉建屋１内の空気中の微細粒子を除去する後置高性能粒子フィルタ５ｄとから構成されており、第２のフィルタトレイン４は、第１のフィルタトレイン８のようなスペースヒータ６ａ及び６ｂを備えていない。
【００１９】
また、上述した弁装置は、第１のフィルタトレイン８の入口側に設置されている第１の弁装置９ａと、第１のフィルタトレイン８と第２のフィルタトレイン４の間に設置されている第２の弁装置９ｂ及び第３の弁装置９ｃと、第２のフィルタトレイン４の出口側に設置されている第４の弁装置９ｄと、排風機３と第１の弁装置９ａを接続する配管から分岐され、第１のフィルタトレイン８と第２のフィルタトレイン４を接続する配管との接続部より前側の分岐配管１２ａに設置される第５の弁装置９ｅと、第２の弁装置９ｂと第３の弁装置９ｃを接続する配管の途中と第４の弁装置９ｄの下流側の配管とを接続し、第２のフィルタトレイン４をバイパスするバイパス配管１２ｂに設置されている第６の弁装置９ｆから成り、事故発生後に非常用ガス処理装置の運転を開始し、第１の弁装置９ａ、第２の弁装置９ｂ、第３の弁装置９ｃ及び第４の弁装置９ｄを開にすると共に、第５の弁装置９ｅ及び第６の弁装置９ｆを閉として、短期間（本実施例では、事故後２４時間以内）の使用時に第１のフィルタトレイン８から流入する空気によって、第２のフィルタトレイン４の乾燥及び暖気を済ませることができる。
【００２０】
即ち、静的機器の単一故障は、昭和６２年１０月の原子力規制委員会  原子炉安全基準専門部会  設計小委員会  単一故障ワーキング・グループ「単一故障の解釈及び適用の明確化について」の中で検討されており、短期間の使用では、これを想定しない。
【００２１】
このため、上述したように、第１のフィルタトレイン８の下流側に設置されている第２のフィルタトレイン４内に配置されているチャコールフィルタ７ｂ等の乾燥及び暖気は、事故後短期間の間に、第１のフィルタトレイン８から排気される空気によって済ませることで、これを実現している。
【００２２】
また、長期間（本実施例では、事故後２４時間以上）の運転時に、第１のフィルタトレイン８が接続口破断などを想定する単一故障が発生した場合には、第１の弁装置９ａ、第２の弁装置９ｂ及び第６の弁装置９ｆを閉にすると共に、第３の弁装置９ｃ、第４の弁装置９ｄ及び第５の弁装置９ｅを開とすることで、既に乾燥及び暖気が済んでいる下流側設置の１００％性能を有した第２のフィルタトレイン４のみに原子炉建屋１内の空気を流入させ、原子炉建屋１外への漏れもなく放射性物質の除去が可能である。従って、第２のフィルタトレイン４のみへ原子炉建屋１内の空気が流れるように、流路を変更しても運転性能を低下せずに連続して運転が可能となる。
【００２３】
また、同様に長期間の運転での、第２のフィルタトレイン４の単一故障の際は、第３の弁装置９ｃ、第４の弁装置９ｄ及び第５の弁装置９ｅを閉にすると共に、第１の弁装置９ａ、第２の弁装置９ｂ及び第６の弁装置９ｆを開として、第１のフィルタトレイン８のみへ原子炉建屋１内の空気が流れるように、流路を変更しても運転性能を低下せずに連続運転が可能となる。
【００２４】
このように、既存の静的機器である第１のフィルタトレイン８の下流側にもう一系列、スペースヒータ６ａ及び６ｂを除き、省ペース化し１００％性能を有した第２のフィルタトレイン４を設置することで、単一故障を想定しても性能低下することなく、原子炉建屋１の外部へ放出する原子炉建屋１内の空気から放射性物質を除去しながら、原子炉建屋１内を負圧に保つことができる。
【００２５】
従って、従来技術では多重化が図れないような狭いスペースにおいても多重化を実現しながら、限られた既設炉のスペースに非常用ガス処理装置が設置可能となり、原子炉の安全性の向上を図ることができる。つまり、要求される静的機器の多重化を実現し、単一故障を想定しても性能低下することなく、原子炉建屋外部へ放出する建屋内空気から放射性物質を除去できる効果を得ることができる。
【００２６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００２７】
１…原子炉建屋、２…空気乾燥装置、３…排風機、４…第２のフィルタトレイン、５ａ、５ｃ…前置高性能粒子フィルタ、５ｂ、５ｄ…後置高性能粒子フィルタ、６ａ、６ｂ…スペースヒータ、７ａ、７ｂ…チャコールフィルタ、８…第１のフィルタトレイン、９ａ…第１の弁装置、９ｂ…第２の弁装置、９ｃ…第３の弁装置、９ｄ…第４の弁装置、９ｅ…第５の弁装置、９ｆ…第６の弁装置、１０ａ、１０ｂ…プレフィルタ、１１…排気筒、１２ａ…分岐配管、１２ｂ…バイパス配管。
【図１】
0006511330.tif 000002
【図２】
0006511330.tif 000003